(57)【要約】      （修正有）【課題】キャップ一体型ポンピング式化粧品容器を提供する。【解決手段】内容物が排出される排出部が形成される容器本体と；容器本体の排出部に結合され、外周面の両側に対応する一対の螺旋形溝が形成される昇降ガイド部材２００と；容器本体の上部で前記昇降ガイド部材を囲んで回転可能に結合され、内周面に長手方向に垂直ガイド溝が形成される回転体３００と；昇降ガイド部材の内部に挿入されて昇降する円筒状に形成され、外周面の両側に前記螺旋形溝及び垂直ガイド溝に挿入されるガイド突起が形成されるキャップと４００；容器本体の排出部に結合されて、ポンピング作用を通じて内容物を排出させるポンピング部材５００と；ポンピング部材の上部に結合されて、ポンピング部材に圧力を伝達し、キャップの昇降によって開閉される排出口６１０が形成されるボタン部６００とを含む。【選択図】図４
2015063321.tif 000002
【特許請求の範囲】
【請求項１】
内容物が収容され、上部に内容物が排出される排出部が形成される容器本体と；
前記容器本体の排出部に結合され、外周面の両側に対応する一対の螺旋形溝が形成される昇降ガイド部材と；
前記容器本体の上部で前記昇降ガイド部材を囲んで回転可能に結合され、内周面に長手方向に垂直ガイド溝が形成される回転体と；
前記昇降ガイド部材の内部に挿入されて昇降し、外周面の両側に前記螺旋形溝及び垂直ガイド溝に挿入されるガイド突起が形成されるキャップと；
前記容器本体の排出部に結合されて、ポンピング作用を通じて内容物を排出させるポンピング部材と；
前記ポンピング部材の上部に結合されて、ポンピング部材に圧力を伝達し、前記キャップの昇降によって開閉される排出口が形成されるボタン部と；を含むことを特徴とするキャップ一体型ポンピング式化粧品容器。
【請求項２】
前記ボタン部の下部には、前記キャップの上昇時、キャップの下端に載置されてボタン部の下方への移動を制限するポンピング防止部材が結合されることを特徴とする請求項１に記載のキャップ一体型ポンピング式化粧品容器。
【請求項３】
前記キャップの内側下端部には、内周面を囲んで前記ポンピング防止部材の下端を支持するポンピング防止突出部が備えられることを特徴とする請求項２に記載のキャップ一体型ポンピング式化粧品容器。
【請求項４】
前記ポンピング部材の上部には排出口の先端部に残留する内容物を吸入するように内容物吸入部が結合され、前記内容物吸入部は、
前記ポンピング部材の上部に結合されて、前記ポンピング部材から流出される内容物が移動するように空間を形成する内容物移動管と、
前記内容物移動管から上方向に延長して形成されて、ボタン部の内周面に密着される内容物吸入管と、
前記内容物移動管を囲んで小幅に離間して形成され、前記ボタン部の下部に設置されて、ボタン部に弾性力を提供する第２スプリングを支持するスプリング支持突出部とを含むことを特徴とする請求項１に記載のキャップ一体型ポンピング式化粧品容器。
【請求項５】
前記内容物吸入管は、ボタン部の内周面に密着されるピストン形状に形成され、第２スプリングの弾性力によるボタン部の上昇時に、ボタン部の内部の真空圧を発生させて、排出口の先端部に残留する内容物を吸入することを特徴とする請求項４に記載のキャップ一体型ポンピング式化粧品容器。
【請求項６】
前記容器本体の上部には前記昇降ガイド部材の回転を防止する回転防止突起が形成され、前記昇降ガイド部材の下端には前記回転防止突起と結合される回転防止溝が形成されることを特徴とする請求項１に記載のキャップ一体型ポンピング式化粧品容器。
【発明の詳細な説明】
【技術分野】
【０００１】
本発明はキャップ一体型ポンピング式化粧品容器に関するもので、さらに詳しくは、容器本体の上部に結合される回転体の回転時に、回転体と一体に形成されたキャップが昇降して排出口を開閉するように構成されることによって、簡単な操作によって排出口を開閉することが可能なキャップ一体型ポンピング式化粧品容器に関する。
【背景技術】
【０００２】
一般に、ポンピング式化粧品容器とは、容器本体の上部に結合されるポンピング部材のポンピング作用を通じて内容物が外部に排出されるように構成されるもので、内容物が収容される容器本体と、上記容器本体の上部に結合され、容器本体の内部を真空状態にして、ポンピング作用によって内容物を引き上げるポンピング部材と、上記ポンピング部材の上部に位置して、使用者の加圧によって昇降され、ポンピング部材に圧力を伝達するボタン部とで構成される。
【０００３】
上記のような構成からなるポンピング式化粧品容器は、ボタン部に形成される排出孔を通じて異物が流入されたり、使用者が望まない状態でボタン部が加圧されて、ポンピング部材の誤作動が発生することを防止するために、容器本体の上部にボタン部を囲んで着脱可能にオーバーキャップが結合される。
【０００４】
しかし、オーバーキャップが容器本体から着脱可能に構成されることによって、オーバーキャップの紛失の虞があり、オーバーキャップが分離された状態で使用者の不注意によってオーバーキャップの破損が発生するなどの問題点があった。
【０００５】
このような問題点を解決するために、韓国登録実用新案第２０−０３４５９９４号「出沒式排出口を有する化粧品容器」が提案された。
【０００６】
上記登録実用新案は、ポンプ体を有する容器が外部容器で上昇または下降しながら、容器のポンプ体に装着された排出口が外部容器から出沒されることができるように構成された化粧品容器において、
肩部分が緩やかに湾曲形成された上部の中央に容器１２０のポンプ体１２１のステム１２２に装着される排出口１２３が引入される引入凹溝１１１が貫通して形成され、内面下部には容器１２０の外周面の中間部位に形成された垂直ガイド突起１２４が垂直案内される垂直ガイド溝１１２が対向するように形成され、下部にアンダーカット装着されるとともに、容器１２０の下部の案内突起１２５が案内される螺旋形溝１１３を形成している回転キャップ１１４で構成される外部容器１１０と；
上記外部容器１１０の引入凹溝１１１に位置する排出口１２３が装着されるポンプ体１２１が上部に締結され、上記外部容器１１０の垂直ガイド溝１１２に位置する垂直ガイド突起１２４が外周面の中間に形成され、回転キャップ１１４の螺旋形溝１１３で昇降案内される案内突起１２５が下部に形成されている容器１２０とで構成されることを特徴とする。
【０００７】
上記のような構成からなる韓国登録実用新案は、回転キャップ１１４の回転時に、回転キャップ１１４の螺旋形溝１１３に挿入されている容器１２０の案内突起１２５が螺旋形溝１１３に沿って移動して、容器１２０の昇降が行われ、容器１２０の上昇によって、その上部に結合された排出口１２３が外部容器１１０から出沒されるように構成されることによって、別途のオーバーキャップが存在しなくてもポンピング部材の誤作動を防止し、排出孔を通じて異物が流入されることを防止することができる。
【０００８】
しかし、上記韓国登録実用新案は、内容物が収容される容器１２０と、上記容器１２０を収容する外部容器１１０との二重容器で構成されるもので、回転キャップ１１４の回転によって内容物が収容された容器１２０自体が昇降される構造であるため、容器１２０の重量によって排出口１２３を開閉するための操作が容易でないという問題点があった。
【０００９】
また、二重容器で構成されるため、部品数が増加し、それによって、製品の製造コストが上昇するとともに、組み立てが複雑で、生産性が低下されるという問題点があった。
【発明の概要】
【発明が解決しようとする課題】
【００１０】
本発明は上述した問題点を解決するために案出されたもので、本発明の目的は、容器本体の上部に結合される回転体の回転時に、回転体と一体に形成されたキャップが昇降されて、排出口を開閉するように構成されることによって、簡単な操作によって排出口を開閉することが可能なキャップ一体型ポンピング式化粧品容器を提供することにある。
【００１１】
また、容器本体を単一容器で構成して、製品コストを低減することができ、且つ、簡単な組立工程によって、生産性を向上させることができるキャップ一体型ポンピング式化粧品容器を提供することにある。
【課題を解決するための手段】
【００１２】
上記のような問題点を解決するために、本発明によるキャップ一体型ポンピング式化粧品容器は、内容物が収容され、上部に内容物が排出される排出部が形成される容器本体と；上記容器本体の排出部に結合され、外周面の両側に対応する一対の螺旋形溝が形成される昇降ガイド部材と；上記容器本体の上部で上記昇降ガイド部材を囲んで回転可能に結合され、内周面に長手方向に垂直ガイド溝が形成される回転体と；上記昇降ガイド部材の内部に挿入されて昇降される円筒状に形成され、外周面の両側に上記螺旋形溝及び垂直ガイド溝に挿入されるガイド突起が形成されるキャップと；上記容器本体の排出部に結合されて、ポンピング作用を通じて内容物を排出させるポンピング部材と；上記ポンピング部材の上部に結合されて、ポンピング部材に圧力を伝達し、上記キャップの昇降によって開閉される排出口が形成されるボタン部と；を含むことを特徴とする。
【００１３】
また、上記ボタン部の下部には、上記キャップの上昇時、キャップの下端に載置されて、ボタン部の下方向への移動を制限するポンピング防止部材が結合されることを特徴とする。
【００１４】
また、上記キャップの内側下端部には内周面を囲み、上記ポンピング防止部材の下端を支持するポンピング防止突出部が備えられることを特徴とする。
【００１５】
また、上記ポンピング部材の上部には排出口の先端部に残留する内容物を吸入するように内容物吸入部が結合され、上記内容物吸入部は、上記ポンピング部材の上部に結合されて、上記ポンピング部材から流出される内容物が移動するように空間を形成する内容物移動管と、上記内容物移動管から上方向に延長して形成されて、ボタン部の内周面に密着される内容物吸入管と、上記内容物移動管を囲んで小幅に離間して形成され、上記ボタン部の下部に設置されて、ボタン部に弾性力を提供する第２スプリングを支持するスプリング支持突出部とを含むことを特徴とする。
【００１６】
また、上記内容物吸入管はボタン部の内周面に密着されるピストン形状に形成され、第２スプリングの弾性力によるボタン部の上昇時に、ボタン部の内部の真空圧を発生させて、排出口の先端部に残留する内容物を吸入することを特徴とする。
【００１７】
また、上記容器本体の上部には上記昇降ガイド部材の回転を防止する回転防止突起が形成され、上記昇降ガイド部材の下端には上記回転防止突起と結合される回転防止溝が形成されることを特徴とする。
【発明の効果】
【００１８】
上述したように、本発明によれば、容器本体の上部に結合される回転体の回転時に、回転体と一体に形成されたキャップが昇降して排出口を開閉するように構成されることによって、簡単な操作によって排出口を開閉することが可能であるという長所がある。
【００１９】
また、容器本体を単一容器で構成して、製品コストを低減することができ、且つ、簡単な組立工程によって生産性を向上させることができるという長所がある。
【００２０】
また、内容物の排出が完了された後、内容物吸入部を通じて排出口の先端部に残留する内容物を吸入して、内容物が外部に流れることを防止し、それによって、内容物の不必要な無駄使いを遮断することができるとともに、内容物による容器の汚染を防止することができるという長所がある。
【図面の簡単な説明】
【００２１】
【図１】本発明の好ましい実施例によるキャップ一体型ポンピング式化粧品容器の構成を示す結合分解斜視図である。
【図２】本発明の好ましい実施例によるキャップ一体型ポンピング式化粧品容器の構成を示す分解斜視図である。
【図３】本発明の好ましい実施例によるキャップ一体型ポンピング式化粧品容器の構成を示す断面図である。
【図４】本発明の好ましい実施例によるキャップ一体型ポンピング式化粧品容器の作動状態を示す説明図である。
【図５】本発明の好ましい実施例によるキャップ一体型ポンピング式化粧品容器の作動状態を示す説明図である。
【図６】本発明の好ましい実施例によるキャップ一体型ポンピング式化粧品容器の作動状態を示す説明図である。
【図７】本発明の好ましい実施例によるキャップ一体型ポンピング式化粧品容器の作動状態を示す説明図である。
【発明を実施するための形態】
【００２２】
以下、図面を参照して本発明を詳しく説明する。各図面に提示された同じ参照符号は同じ部材を表す。
【００２３】
図１は本発明の好ましい実施例によるキャップ一体型ポンピング式化粧品容器の構成を示す結合斜視図であり、図２は本発明の好ましい実施例によるキャップ一体型ポンピング式化粧品容器の構成を示す分解斜視図であり、図３は本発明の好ましい実施例によるキャップ一体型ポンピング式化粧品容器の構成を示す断面図である。
【００２４】
図１〜３によれば、本発明の好ましい実施例によるキャップ一体型ポンピング式化粧品容器は、容器本体１００、昇降ガイド部材２００、回転体３００、キャップ４００、ポンピング部材５００、ボタン部６００が含まれる。
【００２５】
上記容器本体１００は内容物が収容されるもので、内部には内容物の使用によって上昇するピストン１３０が備えられ、その上部には昇降ガイド部材２００と結合され、内容物が排出される排出部１１０が備えられる。
【００２６】
本発明において、上記容器本体１００の上部には昇降ガイド部材２００の回転を防止するように回転防止突起１２０が形成されることが特徴であり、回転防止突起１２０が昇降ガイド部材２００の下端に形成される回転防止溝２３０と結合されて、回転体３００の回転時に、昇降ガイド部材２００が一緒に回転することを防止する。
【００２７】
一方、本発明の図面では、上記容器本体１００をピストン１３０が備えられたディスペンサー容器で示したが、チューブ容器、ブロー成形容器などの内容物の収容が可能な多様な容器で構成されることができる。
【００２８】
上記昇降ガイド部材２００は、上記容器本体１００の排出部１１０に結合されて、キャップ４００の昇降をガイドするもので、排出部１１０に結合されることが可能に内側中央部に中空が形成された結合部２１０が備えられる。
【００２９】
本発明において、上記昇降ガイド部材２００の外周面にはキャップ４００を昇降させる螺旋形溝２２０が形成されることが特徴であり、上記螺旋形溝２２０にはキャップ４００のガイド突起４１０が結合されて移動するようになる。上記螺旋形溝２２０はガイド突起４１０が安定的に移動されることができるように両側面に対応する一対が形成されることが好ましい。
【００３０】
一方、上記螺旋形溝２２０の両端部にはガイド突起４１０が上記螺旋形溝２２０に沿って回転上昇または下降して、上端または下端に固定されることができるように固定溝が形成されることが好ましい。
【００３１】
一方、上記昇降ガイド部材２００の下端には回転体３００の回転時に一緒に回転することを防止するように、上記回転防止突起１２０と結合される回転防止溝２３０が形成される。
【００３２】
上記回転体３００は、上記容器本体１００の上部で上記昇降ガイド部材２００を囲んで回転可能に結合されるもので、本発明において、上記回転体３００の内周面には上部から下部まで長手方向に沿ってキャップ４００のガイド突起４１０と結合される垂直ガイド溝３２０が形成されることが特徴である。
【００３３】
上記垂直ガイド溝３２０は、回転体２００の回転時に、ガイド突起４１０の垂直移動を案内することによって、キャップ４００が回転しないで上下のみに移動するようにガイドする。
【００３４】
上記キャップ４００は上記昇降ガイド部材２００の内部に挿入された状態で昇降されて排出口６１０を開閉するもので、結合部２１０を囲む円筒状に形成される。
【００３５】
本発明において、上記キャップ４００の外周面の両側にはキャップ４００の昇降をガイドするように、上記螺旋形溝２２０及び垂直ガイド溝３１０に挿入されるガイド突起４１０が形成されることが特徴であり、上記回転体３００の一側への回転時には、上記ガイド突起４１０が螺旋形溝２２０及び垂直ガイド溝３１０に沿って下降してキャップ４００を下降させて排出口６１０を開放させ、上記回転体３００の他側への回転時には、上記ガイド突起４１０が螺旋形溝２２０及び垂直ガイド溝３１０に沿って上昇してキャップ４００を上昇させて排出口６１０を閉鎖させるように構成される。
【００３６】
一方、本発明において、上記キャップ４００の内側下端部には、ボタン部６００の下部に結合されるポンピング防止部材７００の下端を支持するように内周面を囲んでポンピング防止突出部４２０が備えられることが特徴であり、キャップ４００が上昇して排出口６１０が閉鎖された状態では、ポンピング防止突出部４２０がポンピング防止部材７００の下端を支持するように構成されて、ボタン部６００の加圧が行われないので、ポンピング部材５００のポンピング作動を根本的に遮断することができ、これによって、誤作動によって内容物が流出されることを防止することができる。
【００３７】
一方、上記キャップ４００は昇降ガイド部材２００及び回転体３００と一体に組み立てられて、回転体３００の上端開口部に挿入、引出されるように構成されることによって、紛失を防止することができる。
【００３８】
上記ポンピング部材５００は、上記容器本体１００の排出部１１０に結合されて、容器本体１００に収容された内容物が外部に排出されるようにポンピング作用を行うもので、ボタン部６００の加圧時に、第１スプリング５１０が収縮、弛緩されて、ポンピング作用を可能にする。上記ポンピング部材５００は本発明が属する技術分野で公知技術であり、詳細な説明は省略する。
【００３９】
上記ボタン部６００は、上記ポンピング部材５００の上部に結合されて、使用者の加圧によってポンピング部材５００に圧力を伝達するもので、ポンピング部材５００のポンピング作用によって内容物を外部に排出する排出口６１０が形成される。
【００４０】
上記排出口６１０は、上記キャップ４００の上昇時には、キャップ４００の内壁によって閉鎖されるように構成され、キャップ４００の下降時には開放されるように構成される。本発明において、上記ボタン部６００の下部にはボタン部６００の下方への移動を制限するポンピング防止部材７００が結合されることが特徴である。
【００４１】
上記ポンピング防止部材７００は、上記キャップ４００の上昇時にはキャップ４００の内側下端に形成されたポンピング防止突出部４２０に載置されて、ボタン部６００の加圧が行われないようにすることによって、ボタン部６００の下方への移動を制限する。これによって、排出口６１０が閉鎖された状態では、ポンピング部材５００のポンピング作用を不可能にすることによって、排出口６１０を通じて内容物が流出されることを根本的に遮断する。
【００４２】
一方、本発明において、上記ボタン部６００の下部には、上記ポンピング部材５００の上部に結合されて、排出口６１０の先端部に残留する内容物を吸入するように内容物吸入部８００が備えられることが特徴であり、上記内容物吸入部８００は上記ポンピング部材５００の上部に結合されて、上記ポンピング部材５００から流出される内容物が移動するように空間を形成する内容物移動管８１０と、上記内容物移動管８１０から上方向に延長して形成されて、ボタン部６００の内周面に密着される内容物吸入管８２０と、上記内容物移動管８１０を囲んで小幅に離間して形成され、上記ボタン部６００の下部に設置されてボタン部６００に弾性力を提供する第２スプリング８４０を支持するスプリング支持突出部８３０とで構成される。
【００４３】
上記内容物吸入管８２０は、ボタン部６００の内周面に密着されるピストン形状に形成され、第１スプリング５１０の弾性力によって内容物吸入部８００とボタン部６００とが一緒に上昇し、その後、第２スプリング８４０の弾性力によってボタン部６００が独立に上昇する時に、ボタン部６００の内部の真空圧を発生させて、排出口６１０の先端部に残留する内容物の吸入を可能にする。これによって、内容物の不必要な消耗を防止することができ、内容物の流出によって容器が汚染されることを防止することができる。
【００４４】
一方、上記ボタン部６００の上端には、使用者がボタン部６００を加圧する時に、排出口６１０の方向による加圧部分を認知するように加圧表示部６２０が形成されることが好ましい。
【００４５】
以下では、図４〜７を参照して本発明の好ましい実施例によるキャップ一体型ポンピング式化粧品容器の作動過程を説明する。図４〜７は本発明の好ましい実施例によるキャップ一体型ポンピング式化粧品容器の作動状態を示す説明図である。
【００４６】
図４〜７によれば、本発明の好ましい実施例によるキャップ一体型ポンピング式化粧品容器は、普段には、キャップ４００が上昇して排出口６１０を閉鎖している状態に位置する。この時、キャップ４００のポンピング防止突出部４２０にポンピング防止部材７００の下端が載置されて、ボタン部６００の下方への移動を制限することによって、ポンピング部材５００のポンピング作動を遮断する。
【００４７】
上記のように、キャップ４００が上昇された状態で回転体３００を回転させると、キャップ４００のガイド突起４１０が螺旋形溝２２０及び垂直ガイド溝３１０に沿って移動してキャップ４００を下降させる。これによって、キャップ４００の内壁によって閉鎖されていた排出口６１０が開放される。
【００４８】
この時、キャップ４００が下降することによって、ポンピング防止部材７００の下端を支持していたポンピング防止突出部４２０がポンピング防止部材７００から離隔し、これによって、ボタン部６００の加圧によるボタン部６００の下方への移動が可能になり、ボタン部６００の下方への移動によってポンピング部材５００に加圧力が伝達されて、ポンピング作動による内容物の排出が行われる。
【００４９】
一方、内容物の排出が完了された状態で、ボタン部６００の加圧が解除されると、ボタン部６００が上昇する。この時、第１スプリング５１０による上昇が完了された後、ボタン部６００が第２スプリング８４０の弾性力によって独立的に上昇する高さＨだけ内容物吸入管８２０によってボタン部６００の内部に真空圧が発生されて、排出口６１０の先端に残留する内容物が吸入される。
【００５０】
図面及び明細書に最適な実施例が開示された。ここで特定用語を用いたが、これは本発明を説明するための目的で用いられたものであって、意味の限定や特許請求の範囲に記載された本発明の範囲を制限するためのものではない。従って、本発明が属する技術分野における通常の知識を有する者であれば、これから多様な変形及び均等な他の実施例が可能であることを理解すべきである。また、本発明の真の技術的保護範囲は特許請求の範囲の技術的思想によって定められるべきである。
【符号の説明】
【００５１】
１００：容器本体  
１１０：排出部
１２０：回転防止突起  
１３０：ピストン
２００：昇降ガイド部材  
２１０：結合部
２２０：螺旋形溝  
２３０：回転防止溝
３００：回転体  
３１０：垂直ガイド溝
４００：キャップ  
４１０：ガイド突起
４２０：ポンピング防止突出部  
５００：ポンピング部材
５１０：第１スプリング  
６００：ボタン部
６１０：排出口  
６２０：加圧表示部
７００：ポンピング防止部材  
８００：内容物吸入部
８１０：内容物移動管  
８２０：内容物吸入管
８３０：スプリング支持突出部  
８４０：第２スプリング
【図１】
2015063321.tif 000003
【図２】
2015063321.tif 000004
【図３】
2015063321.tif 000005
【図４】
2015063321.tif 000006
【図５】
2015063321.tif 000007
【図６】
2015063321.tif 000008
【図７】
2015063321.tif 000009